(57)【特許請求の範囲】
【請求項１】
ロックコンポーネントと、ロックコンポーネントの動きを制御するための暗証番号コンポーネントとを備え、前記暗証番号コンポーネントは、両端にいずれも１つの前記ロックコンポーネントを設け、２つの前記ロックコンポーネント間には揺動可能なアダプターが設けられ、２つの前記ロックコンポーネントは、アダプターの両端にそれぞれ接続されて、アダプターが２つのロックコンポーネントと共に連動して揺動できるようにし、２つの前記ロックコンポーネントを互いに連動するようにし、
各前記ロックコンポーネントは、いずれも、往復運動可能な可動部材と、ロック部と係合し、回動可能なロックフックと、可動部材とロックフックとの間に設けられた回動ロックブロックとを備え、可動部材の内側端は、アダプターに接続されて、アダプターが可動部材と連動して揺動できるようにし、可動部材は前記回動ロックブロックを連動して回動させ、前記ロックフックを妨げないようにし、ロックが解除できるようにすることを特徴とするスーツケース暗証番号錠。
【請求項２】
前記アダプターは、円筒状部と、前記円筒状部の外側壁に設けられ、且つ前記円筒状部の半径方向に沿って外側に延びる２つの伝達アームとを有することを特徴とする請求項１に記載のスーツケース暗証番号錠。
【請求項３】
そのうちの一方の可動部材にはその対応する前記伝達アームの端部を通過させる伝達孔が開設され、可動部材は移動過程において前記伝達孔を介して前記アダプターを連動して揺動させることができることを特徴とする請求項２に記載のスーツケース暗証番号錠。
【請求項４】
そのうちの他方の可動部材にはその対応する前記伝達アームの端部と協働する伝達切欠が開設され、当該可動部材は移動過程において前記伝達切欠を介して前記アダプターを連動して揺動させることができることを特徴とする請求項３に記載のスーツケース暗証番号錠。
【請求項５】
２つの前記伝達アームの端部には、いずれも側面が円弧面である伝達部を備え、伝達部は対応する伝達孔又は伝達切欠に内蔵されることを特徴とする請求項４に記載のスーツケース暗証番号錠。
【請求項６】
２つの前記伝達アームは前記円筒状部の側面の対向する両側に配置され、そのうちの一方の前記可動部材の内側端に屈曲片を有し、前記伝達切欠は前記屈曲片の内側端部に設けられることを特徴とする請求項４に記載のスーツケース暗証番号錠。
【請求項７】
前記円筒状部の前記屈曲片に対応する一方側に、前記伝達アームの前記伝達切欠からの外れを回避するための脱落防止片を有することを特徴とする請求項６に記載のスーツケース暗証番号錠。
【発明の詳細な説明】
【技術分野】
【０００１】
本発明は、暗証番号錠の分野に関し、具体的に、スーツケースの暗証番号錠に関する。
【背景技術】
【０００２】
スーツケースの暗証番号錠は、開閉ギャップを有し、開閉ギャップの両側はそれぞれ２つの開閉側である。そのうちの一方の開閉側の内壁には暗証番号錠が設けられ、当該暗証番号錠は暗証番号ホイールコンポーネントを有し、暗証番号ホイールコンポーネントの両端それぞれには１セットのロックコンポーネントが設けられている。当該ロックコンポーネントは、接続部材と、ロックブロックと、ロックフックとを備え、暗証番号ホイールが正しい場合、暗証番号ホイールコンポーネントは接続部材の動きを妨げない。この時、暗証番号ホイールコンポーネントの方向に向いて接続部材を移動させると、接続部材はロックフックが自由に回転できるように、ロックブロックを連動して回動させ、ロックフックを妨げないようにして、ロックの解除を実現する。従来技術において、暗証番号ホイールコンポーネントの両端にそれぞれ位置している２組のロックコンポーネント同士は互いに関連していない。暗証番号が正しい場合、スーツケースが衝突を受けると、そのうちの一方のロックコンポーネントにおける接続部材が動きやすくなって、当該ロックコンポーネントにおけるロックフックを回動させ、当該ロックコンポーネントのロックが失敗してしまう。
【発明の概要】
【発明が解決しようとする課題】
【０００３】
本発明は、従来技術の欠点を考慮して、スーツケースが衝突を受けた場合、ロックコンポーネントのロック失敗を回避できるスーツケース暗証番号錠を提供することを目的とする。
【課題を解決するための手段】
【０００４】
上記の技術問題を解決するために、本発明は次のような技術手段を採用する。
【０００５】
本発明は、ロックコンポーネントと、ロックコンポーネントの動きを制御するための暗証番号コンポーネントとを備え、前記暗証番号コンポーネントは、両端にいずれも１つの前記ロックコンポーネントを設け、２つの前記ロックコンポーネント間には揺動可能なアダプターが設けられ、２つの前記ロックコンポーネントは、アダプターの両端にそれぞれ接続されて、アダプターが２つのロックコンポーネントと共に連動して揺動できるようにし、２つの前記ロックコンポーネントを互いに連動するようにするスーツケース暗証番号錠を提供する。
【０００６】
具体的に、各前記ロックコンポーネントは、いずれも、往復運動可能な可動部材と、ロック部と係合し、回動可能なロックフックと、可動部材とロックフックとの間に設けられた回動ロックブロックとを備え、可動部材の内側端は、アダプターに接続されて、アダプターが可動部材に連動して揺動できるようにし、可動部材は前記回動ロックブロックを連動して回動させ、前記ロックフックを妨げないようにし、前記スーツケース暗証番号錠のロックが解除できるようにする。
【０００７】
具体的に、前記アダプターは、円筒状部と、前記円筒状部の外側壁に設けられ、且つ前記円筒状部の半径方向に沿って外側に延びる２つの伝達アームとを有する。
【０００８】
具体的に、そのうちの一方の可動部材にはその対応する前記伝達アームの端部を通過させる伝達孔が開設され、可動部材は移動過程において前記伝達孔を介して前記アダプターを連動して揺動させることができる。
【０００９】
具体的に、そのうちの他方の可動部材にはその対応する前記伝達アームの端部と協働する伝達切欠が開設され、当該可動部材は移動過程において前記伝達切欠を介して前記アダプターを連動して揺動させることができる。
【００１０】
具体的に、２つの前記伝達アームの端部には、いずれも側面が円弧面である伝達部を備え、伝達部は対応する伝達孔又は伝達切欠に内蔵される。
【００１１】
具体的に、２つの前記伝達アームは前記円筒状部の側面の対向する両側に配置され、そのうちの一方の前記可動部材の内側端に屈曲片を有し、前記伝達切欠は前記屈曲片の内側端部に設けられる。
【００１２】
具体的に、前記円筒状部の前記屈曲片に対応する一方側に、前記伝達アームの前記伝達切欠からの外れを回避するための脱落防止片を有する。
【発明の効果】
【００１３】
本発明は次のような有益な効果を有する。即ち、２つのロックコンポーネント間に回動可能なアダプターを設け、且つ、２つの可動部材がアダプターにそれぞれヒンジ接続されることで、２つのロックコンポーネントを互いに連動させる。即ち、２つのロックコンポーネントが共に外側へ移動するか、又は内側へ移動する。暗証番号が正しい場合、そのうちの一方のロックコンポーネントが存在するスーツケースの箱体が衝突されると、２つのロックコンポーネントが互いに連動するため、片方のロックコンポーネントが動き難くなり、当該ロックコンポーネントにおけるロックフックの回動を回避することによって、当該ロックコンポーネントのロック失敗を回避する。
【図面の簡単な説明】
【００１４】
【図１】本発明のスーツケース暗証番号錠をスーツケースに実装した状態を示す図である。
【図２】本発明のスーツケース暗証番号錠をスーツケースに実装した状態を示す別の図である。
【図３】本発明のスーツケース暗証番号錠の内部を示す部分図である。
【図４】図３に示す構造の別の斜視図である。
【図５】本発明のスーツケース暗証番号錠の内部を示す別の部分図であり、当該スーツケース暗証番号錠はロック状態にある。
【図６】図５に示す構造の当該スーツケース暗証番号錠がロック解除状態にある場合を示す図である。
【図７】図５におけるＡ箇所の部分拡大図である。
【図８】本発明のアダプターの斜視図である。
【発明を実施するための形態】
【００１５】
以下、本発明の具体的な実施形態について、図面を参照しながらさらに説明する。
【００１６】
図１及び図２に示すように、本実施例が提供するスーツケース暗証番号錠は、スーツケースにおける一方の開閉側に実装するためのハウジング１１と、ハウジング１１内に設けられた暗証番号コンポーネント及びロックコアコンポーネントと、暗証番号コンポーネントの両端にそれぞれ設けられたロックコンポーネントとを備える。図３及び図４に示すように、各ロックコンポーネントは、いずれも、ハウジング１１の長さ方向に沿って往復移動可能な可動部材２と、ハウジング１１にヒンジ接続され、且つロック部１２（スーツケースの他方の開閉側に位置する）にフックできるロックフック３（図２参照）と、可動部材２とロックフック３との間に設けられた回動ロックブロック４と、を備える。暗証番号コンポーネントは押圧片６を備え、押圧片６は２つの可動部材２に当接するための当接部６１を有している。２つの可動部材２の内側端には、いずれも当接部６１を収納するための収納切欠２４が設けられている。暗証番号が正しくなく、キーを使えずにロックを解除した場合、当接部６１の両端が２つの可動部材２の内側端（図示せず）に当接されて、２つの可動部材２は内側に移動することができない。暗証番号が正しい場合（キーを使えずにロックを解除）、押圧片６は２つの可動部材２の内側端とずれるように揺動して（図２、図３に示すように）、２つの可動部材２は内側に移動できるようになる。キーによりロックを解除する場合（暗証番号が正しくない）、ロックコアはキーに連動して回動し、押圧片６も連動して、当接部６１が収納切欠２４（図示せず）に入るまで揺動し、２つの可動部材２は内側に移動できるようになる。
【００１７】
図５及び図６を参照すると、可動部材２の内側への移動過程において、回動ロックブロック４は可動部材２に連動して、ロックフック３を妨げない程度に回動することができる。即ち、ロックフック３はロック部１２を引っ掛けない程度に回動し、スーツケース暗証番号錠のロックを解除できるようになる（図２を参照すると、図２中の左側のロック部１２がロックフック３に引っ掛けられ、ロック解除の状態にある）。２つの可動部材２それぞれの内側端間には、ハウジング１１にヒンジ接続されたアダプター５が設けられる。アダプター５は、ハウジング１１にヒンジ接続されるための円筒状部と、円筒状部の外側壁に設けられ、且つ円筒状部の半径方向に沿って延びる２つの伝達アーム５１とを有する。２つの伝達アーム５１の端部はいずれも側面が円弧面である伝達部５１１を有する。２つの可動部材２それぞれの内側端はアダプター５にそれぞれ接続され、２つのロックコンポーネントが共通にアダプター５を連動して揺動できるようにし、２つのロックコンポーネントを互いに連動するようにする。そのうちの一方のロックコンポーネントにおける可動部材２には伝達孔２１が開設され、伝達部５１１は伝達孔２１を貫通し、且つ、伝達部５１１の側面と伝達孔２１との間には伝達過程に必要な隙間が残されている。可動部材２は移動過程において伝達孔２１を介してアダプター５を連動して揺動させることができる。
【００１８】
２つの伝達アーム５１は円筒状部の側面の対向する両側に分布され、そのうち、他方のロックコンポーネントにおける可動部材２の末端には屈曲片２２があり、屈曲片２２と他方の可動部材２は１つの伝達アーム５１にそれぞれマッチングする。屈曲片２２の内側端部には伝達部５１１と協働する伝達切欠２３が開設され、可動部材２は移動過程において伝達切欠２３を介してアダプター５を連動して回動させることができる。円筒状部の屈曲片２２に対応する一方側に、伝達部５１１と伝達切欠２３との外れを回避する脱落防止片５２を有する。具体的に、脱落防止片５２とハウジング１１の内部空洞の底部とが一緒に伝達アーム５１を制限し、伝達部５１１と伝達切欠２３とが互いに外れないようにする。
【００１９】
以上の説明は本発明の好ましい実施例に過ぎず、本発明の特許請求の範囲はこれに限定されないことは言うまでもない。従って、本発明の特許請求の範囲によって行われる同等な変更は、依然として本発明の範囲に含まれる。
【符号の説明】
【００２０】
１１      ハウジング
１２      ロック部
２        可動部材
２１      伝達孔
２２      屈曲片
２３      伝達切欠
２４      収納切欠
３        ロックフック
４        回動ロックブロック
５        アダプター
５１      伝達アーム
５１１    伝達部
５２      脱落防止片
６        押圧片
６１      当接部
【図１】
0006757476.tif 000002
【図２】
0006757476.tif 000003
【図３】
0006757476.tif 000004
【図４】
0006757476.tif 000005
【図５】
0006757476.tif 000006
【図６】
0006757476.tif 000007
【図７】
0006757476.tif 000008
【図８】
0006757476.tif 000009